(57)【要約】【課題】ドレンパンにドレンホースを様々な状況で適切に取り付ける。【解決手段】室内機ユニットまたは室外機ユニットから排水されるドレン水を貯留するドレンパン３と、ドレン水を排水するドレンホース３１をドレンパン３に連結するホースソケット２４とを備えている。ドレンパン３は、ドレンパン３の底面２２と背面２１とにまたがる凹み２３が形成されている。ホースソケット２４は、背面２１の法線と非平行である直線に沿うように、凹み２３の内部に斜めに配置されている。このような一体型空気調和機は、底面２２または背面２１のいずれかから突出しないように、様々な状況でドレンホース３１を適切にドレンパン３に設置することができる。【選択図】図６
2015169388.tif 000002
【特許請求の範囲】
【請求項１】
室内機ユニットと室外機ユニットとが一体化されているユニット本体と、
前記室内機ユニットまたは前記室外機ユニットから排水されるドレン水を貯留するドレンパンと、
前記ドレン水を排水するドレンホースを前記ドレンパンに連結するホースソケットとを備え、
前記ドレンパンは、前記ドレンパンの底面と背面とにまたがる凹みが形成され、
前記ホースソケットは、前記凹みの内部に配置され、前記背面の法線と非平行である直線に沿うように、斜めに配置されている一体型空気調和機。
【請求項２】
前記ホースソケットは、前記ホースソケットの先端が前記ホースソケットの根元より前記背面に近くなるように、斜めに配置されている請求項１に記載の一体型空気調和機。
【請求項３】
前記ホースソケットは、前記ホースソケットの先端が前記ホースソケットの根元より前記底面に近くなるように、斜めに配置されている請求項１または請求項２のうちのいずれか一項に記載の一体型空気調和機。
【請求項４】
締結部材をさらに備え、
前記凹みのうちの前記ホースソケットが設けられる取り付け面は、ねじ穴が形成され、
前記締結部材は、前記ねじ穴に締結されることにより、前記ドレンホースに形成されるブラケットを前記ドレンパンに固定し、
前記ねじ穴は、前記ねじ穴が沿う直線が前記ドレンパンに交差しないように形成されている請求項１から請求項３のうちのいずれか一項に記載の一体型空気調和機。
【発明の詳細な説明】
【技術分野】
【０００１】
本発明は、室内機ユニットと室外機ユニットとが一体化されている一体型空気調和機に関する。
【背景技術】
【０００２】
室内機ユニットと室外機ユニットとが一体化されている一体型空気調和機が知られている。室内機ユニットは、空気吸込み口から吸込んだ室内空気を室内熱交換器、室内ファンを経て空気吹出し口から室内に吹出す室内空気流路を備えている。室外機ユニットは、外気吸込み口から吸込んだ外気を室外ファン、室外熱交換器を経て室外に吹出す。近年では、一体型空気調和機は、ヒートポンプによる暖房運転を行うようになっており、暖房運転では室内側でのドレン水処理が必要とされる。
【先行技術文献】
【特許文献】
【０００３】
【特許文献１】実開平１−１０００３１号公報
【発明の概要】
【発明が解決しようとする課題】
【０００４】
一体型空気調和機は、例えば特許文献１に示されるように、室内機ユニットまたは室外機ユニットにより空気中から分離された水滴を受け止めるドレンパンをさらに備え、ドレンパンのドレンホースの取り出しがユニット背面より真後ろに引出し室外へと取り出す方法が一般的である。このようにドレンパンのドレン取り出し口が真後ろ向きでは、室内処理のためのドレンホース接続が施工しにくいことがある。ドレンホースは、一体型空気調和機が設置される状況に応じて適切な位置に設置する必要があり、様々な状況で適宜適切にドレンパンに取り付けられることが望まれている。
【０００５】
本発明は、このような事情に鑑みてなされたものであって、ドレン水を排水するドレンホースが様々な状況で適切にドレンパンに取り付けられる一体型空気調和機を提供することを目的とする。
【課題を解決するための手段】
【０００６】
本発明による一体型空気調和機は、室内機ユニットと室外機ユニットとが一体化されているユニット本体と、前記室内機ユニットまたは前記室外機ユニットから排水されるドレン水を貯留するドレンパンと、前記ドレン水を排水するドレンホースを前記ドレンパンに連結するホースソケットとを備えている。前記ドレンパンは、前記ドレンパンの底面と背面とにまたがる凹みが形成されている。前記ホースソケットは、前記凹みの内部に配置され、前記背面の法線と非平行である直線に沿うように、斜めに配置されている。
【０００７】
このような一体型空気調和機は、ドレンホースが取り付けられるホースソケットが凹みの内部に配置されていることにより、ドレンパンの底面または背面のいずれかから突出しないように、ドレンホースを適切に設置することができる。さらに、ホースソケットが斜めに配置されることにより、ドレンホースを直角より緩やかに曲げるだけで、ドレンパンの背面に沿うようにドレンホースを取り付けることができ、ドレンホースの向きを変更するための継ぎ手を別途追加することなく、ドレンホースを容易に取り付けることができる。このため、ドレンホースを様々な状況に応じてドレンパンに取り付けることができる。
【０００８】
前記ホースソケットは、前記ホースソケットの先端が前記ホースソケットの根元より前記背面に近くなるように、斜めに配置されていてもよい。
【０００９】
このような一体型空気調和機は、ホースソケットの先端がドレンパンの背面に向いていることにより、ドレンホースを凹みから背面の側に取り出すときに、ドレンホースを無理に曲げる必要がなく、ドレンホースを容易に取り付けることができる。
【００１０】
前記ホースソケットは、前記ホースソケットの先端が前記ホースソケットの根元より前記底面に近くなるように、斜めに配置されていてもよい。
【００１１】
このような一体型空気調和機は、ホースソケットの先端がドレンパンの底面に向いていることにより、ドレンホースを凹みから底面の側に取り出すときに、ドレンホースを無理に曲げる必要がなく、ドレンホースを容易に取り付けることができる。
【００１２】
本発明による一体型空気調和機は、締結部材をさらに備えている。前記凹みのうちの前記ホースソケットが設けられる取り付け面は、ねじ穴が形成されている。前記締結部材は、前記ねじ穴に締結されることにより、前記ドレンホースに形成されるブラケットを前記ドレンパンに固定する。このとき、前記ねじ穴は、前記ねじ穴が沿う直線が前記ドレンパンに交差しないように形成されている。
【００１３】
このような一体型空気調和機は、直線状のねじ回しを用いて締結部材を容易にドレンパンにねじ止めすることができ、ドレンホースをドレンパンに取り付ける作業の作業性を向上させることができる。
【発明の効果】
【００１４】
本発明による一体型空気調和機は、様々な状況でドレンホースを適切にドレンパンに取り付けることができる。
【図面の簡単な説明】
【００１５】
【図１】本発明の一実施形態にかかる一体型空気調和機を示す斜視図である。
【図２】本発明の一実施形態にかかる一体型空気調和機を示す他の斜視図である。
【図３】図１および図２のドレンパンを示す平面図である。
【図４】図１および図２のドレンパンを示す側面図である。
【図５】図１および図２のドレンパンを示す底面図である。
【図６】図１および図２のドレンパンに取り付けられるドレンホースを示す部分拡大斜視図である。
【発明を実施するための形態】
【００１６】
以下に、本発明による一体型空気調和機の一実施形態について、図面を参照して説明する。一体型空気調和機１は、ユニット本体２とドレンパン３とを備えている。ユニット本体２は、矩形状の縦、横寸法に対して、奥行き寸法が薄くされた筐体に形成されている。ユニット本体２は、内部が上部側と下部側とに区画されており、上部側に室内機ユニット５が配設され、下部側に室外機ユニット６が配設されている。
【００１７】
ユニット本体２は、さらに、空気吸込み口７と空気吹出し口８とが設けられている。空気吸込み口７は、ユニット本体２の上面１１の略全面に亘って設けられている。空気吹出し口８は、ユニット本体２の正面１２の中央よりやや上部側に、水平方向の略全長に亘って設けられている。室内機ユニット５は、図示されていない室内ファンと室内空気流路と室内熱交換器とを備えている。室内ファンは、空気吸込み口７を介して室内空気を室内空気流路に吸込む。室内空気流路は、空気吸込み口７を介して吸込まれた室内空気を空気吹出し口８に導く。室内熱交換器は、室内空気流路を流れる室内空気と、室内機ユニット５と室外機ユニット６とを循環する冷媒とを熱交換する。
【００１８】
ユニット本体２は、さらに、図２に示されているように、外気吸込み口１４と外気吹出し口１５とが設けられている。外気吸込み口１４と外気吹出し口１５とは、ユニット本体２の正面１２の反対側の背面１６の中央より下部側に設けられている。室外機ユニット６は、図示されていない室外ファンと外気流路と室外熱交換器と圧縮機とを備えている。室外ファンは、外気吸込み口１４を介して室外から外気を外気流路に吸込む。外気流路は、外気吸込み口１４を介して吸込まれた外気を外気吹出し口１５に導く。室外熱交換器は、外気流路を流れる外気と、室内機ユニット５と室外機ユニット６とを循環する冷媒とを熱交換する。圧縮機は、たとえばスクロール圧縮機やロータリ圧縮機が用いられ、蒸発器から導かれたガス冷媒を圧縮する。
【００１９】
ユニット本体２は、冷房運転と暖房運転とを行う。
ユニット本体２は、冷房運転が行われると、凝縮器として動作する室外機ユニット６が外気吸込み口１４を介して室外から外気を吸い込み、冷媒と熱交換することにより加熱された外気を、外気吹出し口１５を介して室外に排出する。室外機ユニット６は、さらに、外気により冷却された冷媒を室内機ユニット５に供給する。室内機ユニット５は、蒸発器として動作し、空気吸込み口７を介して室内空気を吸い込み、室外機ユニット６により冷却された冷媒と熱交換することにより冷却された室内空気を、空気吹出し口８を介して室内に吹出す。このとき、室内機ユニット５は、室内空気を冷却することにより凝縮されたドレン水を排水する。
【００２０】
ユニット本体２は、暖房運転が行われると、蒸発器として動作する室外機ユニット６が外気吸込み口１４を介して外気を吸い込み、冷媒と熱交換することにより冷却された外気を、外気吹出し口１５を介して室外に排出する。室外機ユニット６は、さらに、外気により加熱された冷媒を室内機ユニット５に供給する。室内機ユニット５は、凝縮器として動作し、空気吸込み口７を介して室内空気を吸い込み、室外機ユニット６により加熱された冷媒により加熱された室内空気を、空気吹出し口８を介して室内に吹出す。このとき、室外機ユニット６は、外気を冷却することにより凝縮されたドレン水を排水し、または、室外機ユニット６の熱交換器をデフロストすることにより生成された水を排水する。
【００２１】
ドレンパン３は、ユニット本体２の下側に配置されている。ドレンパン３は、図３に平面視で示されるように、室内機ユニット５から排水されるドレン水と室外機ユニット６から排水されるドレン水とを貯留する貯留槽２０を形成している。ドレンパン３は、ユニット本体２の背面１６が沿う平面に概ね沿う背面２１が形成され、図４に側面視で示されているように、ユニット本体２と反対側（下側）に底面２２が形成されている。ドレンパン３は、さらに、凹み２３が形成されている。凹み２３は、背面２１と底面２２とにまたがって形成され、すなわち、背面２１と底面２２との境目の一部に形成されている。
【００２２】
ドレンパン３は、ホースソケット２４を備えている。ホースソケット２４は、管状に形成されている。ホースソケット２４は、凹み２３のうちの取り付け面２５に接合される根元２６より先端２７が底面２２に近づくように、斜めの直線２８に沿って凹み２３の内側に配置されている。ホースソケット２４は、さらに、内部に形成される流路が貯留槽２０（図１参照）に接続されている。取り付け面２５は、直線２８に直角であるように形成され、すなわち、背面２１とのなす角が直角と異なるように斜めに形成されている。ホースソケット２４は、さらに、図５に底面が示されるように、根元２６より先端２７が背面２１に近づくように、配置されている。すなわち、取り付け面２５は、底面２２とのなす角が直角と異なるように斜めに形成されている。
【００２３】
ドレンパン３は、図６に示されるように、ホースソケット２４を介してドレンホース３１に接続される。ドレンホース３１は、可撓性を有する材料から形成され、ドレン水が流れる流路を内部に形成している。ドレンホース３１は、一端にブラケット３２が形成されている。ブラケット３２は、板状に形成され、貫通孔３３が形成されている。ドレンパン３は、取り付け面２５にねじ穴３４が形成されている。ねじ穴３４は、ねじ穴３４が沿う直線が取り付け面２５に直角になるように、かつ、ねじ穴３４から外側に向かって延長する直線がドレンパン３に交差しないように、形成されている。ドレンパン３は、さらに、ねじ３５を備えている。ねじ３５は、ブラケット３２の貫通孔３３を貫通し、ねじ穴３４に締結されることにより、ドレンホース３１をドレンパン３に固定する。
【００２４】
以上に説明の構成により、本実施形態によれば、以下の作用効果を奏する。一体型空気調和機１は、ある部屋の室内に設置されるときに、ユニット本体２背面１６がその部屋の壁面に対向するように、かつ、ドレンパン３の底面２２がその部屋の床に対向するように、配置される。ドレンホース３１は、ブラケット３２が形成されている端にホースソケット２４が挿入され、ブラケット３２の貫通孔３３を貫通したねじ３５がねじ穴３４に締結されることにより、ドレンパン３に固定される。ドレンホース３１は、さらに、ドレンパン３に取り付けられる端の反対側の他端が排水設備に配置される。排水設備は、バスルームが例示され、ドレンホース３１を介してドレンパン３から供給されるドレン水を室外に排水する。
【００２５】
このとき、ねじ穴３４から外側に向かって延長する直線がドレンパン３に交差しないことにより、ブラケット３２が凹み２３の内側に配置されているにもかかわらず、直線状のねじ回しを用いてねじ３５を容易にねじ穴３４に締結することができ、ドレンホース３１をドレンパン３に取り付ける作業の作業性を向上させることができる。
【００２６】
ドレンホース３１は、凹み２３の内側に配置されている部分が屈曲されることにより、一体型空気調和機１が設置される状況に応じて、凹み２３のうちの背面２１の側の開口を介して凹み２３から取り出され、または、凹み２３のうちの底面２２の側の開口を介して凹み２３から取り出される。たとえば、ドレンホース３１は、ユニット本体２の背面１６が壁面に十分に接近しているときに、凹み２３のうちの底面２２の側の開口を介して凹み２３から取り出され、ドレンパン３の底面２２が床に接しているときに、凹み２３のうちの背面２１の側の開口を介して凹み２３から取り出される。
【００２７】
一体型空気調和機１は、ドレンパン３の底面２２と背面２１とにまたがる凹み２３の内部にホースソケット２４が配置されていることにより、一体型空気調和機１が設置される状況に応じて、ドレンホース３１がドレンパン３の底面２２または背面２１のいずれかから突出しないように、すなわち、ドレンホース３１が底面２２または背面２１のいずれかから取り出されるように、ドレンホース３１を適宜適切に設置することができる。
【００２８】
一体型空気調和機１は、さらに、ホースソケット２４の先端２７が根元２６より背面２１に近くなるように配置されていることにより、ドレンホース３１がドレンパン３の背面２１から取り出されるときに、凹み２３の内側に配置されている部分が屈曲される程度を低減することができる。このため、一体型空気調和機１は、流路を屈曲させる管継手を用いないで、または、ドレンホース３１を無理に曲げる必要がなく、ドレンホース３１がドレンパン３の背面２１から取り出されるように、ドレンホース３１を容易にドレンパン３に取り付けることができる。
【００２９】
一体型空気調和機１は、さらに、ホースソケット２４の先端２７が根元２６より底面２２に近くなるように配置されていることにより、ドレンホース３１がドレンパン３の底面２２から取り出されるときに、凹み２３の内側に配置されている部分が屈曲される程度を低減することができる。このため、一体型空気調和機１は、流路を屈曲させる管継手を用いないで、または、ドレンホース３１を無理に曲げる必要がなく、ドレンホース３１がドレンパン３の底面２２から取り出されるように、ドレンホース３１を容易にドレンパン３に取り付けることができる。
【００３０】
なお、本発明は、上記実施形態にかかる発明に限定されるものではなく、その要旨を逸脱しない範囲において、適宜変形が可能である。例えば、ホースソケット２４は、根元２６と底面２２との距離が先端２７と底面２２との距離と概ね等しくなるように、すなわち、ホースソケット２４が沿う直線２８がドレンパン３の底面２２と平行になるように、配置することもできる。
【符号の説明】
【００３１】
１  ：一体型空気調和機
２  ：ユニット本体
３  ：ドレンパン
５  ：室内機ユニット
６  ：室外機ユニット
２０：貯留槽
２１：背面
２２：底面
２３：凹み
２４：ホースソケット
２５：取り付け面
２６：根元
２７：先端
３１：ドレンホース
３２：ブラケット
３４：ねじ穴
３５：ねじ（締結部材）
【図１】
2015169388.tif 000003
【図２】
2015169388.tif 000004
【図３】
2015169388.tif 000005
【図４】
2015169388.tif 000006
【図５】
2015169388.tif 000007
【図６】
2015169388.tif 000008